(57)【要約】観客が階段状の通路を歩いて上り下りしても椅子の着座者が揺れを感じることがないようにして着座者の安定感を向上させることを課題とする。その解決手段として、貫材４に腕材５を介して支持される床材６を有する複数段の床台１と、支柱７を有して各床台１を水平状態で移動可能に支持する脚部２と、各床台１上に装着された複数個の椅子３とを具え、複数段の床台１が、互いに階段状にずれる進出位置と、互いに上下方向に整列する後退位置との間で水平状態のまま移動し得るとともに、その進出位置で複数段の床台１の床材６が階段状の通路を形成する伸縮式の移動観覧席において、各床台１が、腕材５として座席用腕材５Ａと通路用腕材５Ｂとを有するとともに、床材６として互いに独立した座席用床材６Ａと通路用床材６Ｂとを有し、座席用床材６Ａが座席用腕材５Ａによって貫材４と支柱７との少なくとも一方に支持されるとともに、通路用床材６Ｂが通路用腕材５Ｂによって貫材４と支柱７との少なくとも一方に支持されていることを特徴とするものである。
2011001541.tif 000002
【特許請求の範囲】
【請求項１】
複数段の床台（１）と、前記各床台を水平状態で移動可能に支持する脚部（２）と、前記各床台上に装着された複数個の椅子（３）と、を具え、
前記各床台が、前記椅子の左右方向に水平に延在する貫材（４）と、前記貫材の長手方向に間隔が空いた複数の部位に配置されてその貫材から前記椅子の前方向へ水平に突出する複数本の腕材（５）と、それら複数本の腕材上に張り渡された床材（６）と、を有し、
前記脚部が、前記各貫材の長手方向に間隔が空いた複数の部位に上端部をそれぞれ結合されてその貫材から下方に延在する複数本の支柱（７）と、それらの支柱の下端部に後端部付近をそれぞれ結合されて前記腕材と平行に延在する複数本の脚材（８）と、それらの脚材の前端部および後端部にそれぞれ設けられた複数個の移動用ローラー（９）と、を有し、
前記複数本の腕材がそれぞれ後端部を、前記貫材（４）と前記支柱（７）との少なくとも一方に結合されており、
前記複数本の支柱の長さが前記床台毎に床台間の段差分ずつ異なるとともに、前記複数本の支柱の上端部が結合される前記貫材の部位の間隔が前記床台毎に少しずつ異なることで、前記複数段の床台が、互いに階段状にずれる進出位置と、互いに上下方向に整列する後退位置との間で水平状態のまま移動し得るとともに、その進出位置での前記複数段の床台の前記床材が階段状の通路を形成する、伸縮式の移動観覧席において、
前記各床台（１）が、前記腕材（５）として座席用腕材（５Ａ）と通路用腕材（５Ｂ）とを有するとともに、前記床材（６）として、互いに独立した座席用床材（６Ａ）と通路用床材（６Ｂ）とを有し、
前記座席用床材（６Ａ）が前記座席用腕材（５Ａ）によって前記貫材（４）と前記支柱（７）との少なくとも一方に支持されるとともに、
前記通路用床材（６Ｂ）が前記通路用腕材（５Ｂ）によって前記貫材（４）と前記支柱（７）との少なくとも一方に支持されていることを特徴とする、移動観覧席。
【請求項２】
前記複数段の床台（１）の何れかが、前記貫材（４）として、互いに独立した座席用貫材（４Ａ）と通路用貫材（４Ｂ）とを有し、
前記座席用床材（６Ａ）が前記座席用腕材（５Ａ）によって前記座席用貫材（４Ａ）と前記支柱（７）との少なくとも一方に支持されるとともに、
前記通路用床材（６Ｂ）が前記通路用腕材（５Ｂ）によって前記通路用貫材（４Ｂ）と前記支柱（７）との少なくとも一方に支持されていることを特徴とする、請求の範囲１記載の移動観覧席。
【請求項３】
前記座席用貫材（４Ａ）と前記通路用貫材（４Ｂ）とが、互いに上下方向に整列して前記支柱（７）の上端部の前面に結合されていることを特徴とする、請求の範囲２記載の移動観覧席。
【請求項４】
前記座席用貫材（４Ａ）と前記通路用貫材（４Ｂ）とのうちの一方が、前記支柱（７）の上端部の前面に結合され、
前記座席用貫材（４Ａ）と前記通路用貫材（４Ｂ）とのうちの他方が、前記支柱（７）の上端部の後面に結合されていることを特徴とする、請求の範囲２記載の移動観覧席。
【請求項５】
前記複数段の床台（１）の何れかが、前記貫材（４）を１本のみ有し、
前記貫材（４）に、前記座席用腕材（５Ａ）と前記通路用腕材（５Ｂ）との少なくとも一方が結合されていることを特徴とする、請求の範囲１記載の移動観覧席。
【発明の詳細な説明】
【技術分野】
【０００１】
この発明は、それぞれ複数個の椅子が装着された複数段の床台が、互いに階段状にずれる進出位置と、互いに上下方向に整列する後退位置との間で水平状態のまま移動する、伸縮式の移動観覧席に関し、特には、その移動観覧席の階段状の通路の構造に関するものである。
【背景技術】
【０００２】
上述の如き移動観覧席としては従来、例えば本願出願人が先に特許第３９０３３５４号公報にて開示したものが知られており、この移動観覧席は、図９にその中間の二段について示すように、複数段の床台１と、各床台１を水平状態で移動可能に支持する脚部２と、各床台１上に起倒可能に装着された複数個の座起立型椅子３とを具えており、各床台１は、椅子３の左右方向に水平に延在する貫材４と、その貫材４の長手方向に間隔が空いた複数の部位に後端部をそれぞれ結合されてその貫材４から椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、高い方の段では支柱７の後面側にその支柱７の補強のための傾斜ブレース１０を有している。
そしてこの移動観覧席においては、上記複数本の支柱７の長さが床台１毎に床台１間の段差分ずつ異なるとともに、複数本の支柱７の上端部が結合される貫材４の部位の間隔が床台１毎に少しずつ異なることで、複数段の床台１が、互いに階段状にずれる進出位置と、互いに上下方向に整列する後退位置との間で水平状態のまま移動することができ、その後退位置に移動させる際は、各椅子３を前方に倒して床材６間に収納する。
さらにこの移動観覧席においては、複数本の腕材５の全てを、支柱７を介さず貫材４に直接的に結合することで、移動観覧席の現場での組み立てを容易ならしめるとともに各段の床台１間での腕材５および床材６の共通化を図っている。なお、従来の移動観覧席としては、複数本の腕材５の全部または一部を、支柱７のみに結合したり、支柱７と貫材４との両方に結合したりしたものも知られている。
【発明の開示】
【発明が解決しようとする課題】
【０００３】
ところで、本願発明者は上記従来の移動観覧席についてさらに研究を進めたところ、以下の如き改良の余地を見出した。すなわち、上記従来の移動観覧席の複数段の床台１は、上記進出位置にある際にそれらの床台１間で観客が移動できるように階段状の通路を形成する。その一方、各床台１の床材６は貫材４に沿って床台１の両側端間で延在している。それゆえ各床台１の床材６の椅子３が設けられた座席用部分と階段状の通路を形成する通路用部分とは互いに一体に繋がっているため、観客が床材６の通路用部分を歩いて階段状の通路を上り下りして通路用部分が上下に揺れると、その通路用部分の揺れが床材６の座席用部分に直接伝わって椅子３の着座者が揺れを感じてしまうという不都合があった。
【課題を解決するための手段】
【０００４】
この発明は、上記従来の移動観覧席の課題を有利に解決するものであり、この発明の移動観覧席は、複数段の床台と、前記各床台を水平状態で移動可能に支持する脚部と、前記各床台上に装着された複数個の椅子と、を具え、前記各床台が、前記椅子の左右方向に水平に延在する貫材と、前記貫材の長手方向に間隔が空いた複数の部位に配置されてその貫材から前記椅子の前方向へ水平に突出する複数本の腕材と、それら複数本の腕材上に張り渡された床材と、を有し、前記脚部が、前記各貫材の長手方向に間隔が空いた複数の部位に上端部をそれぞれ結合されてその貫材から下方に延在する複数本の支柱と、それらの支柱の下端部に後端部付近をそれぞれ結合されて前記腕材と平行に延在する複数本の脚材と、それらの脚材の前端部および後端部にそれぞれ設けられた複数個の移動用ローラーと、を有し、前記複数本の腕材がそれぞれ後端部を、前記貫材と前記支柱との少なくとも一方に結合されており、前記複数本の支柱の長さが前記床台毎に床台間の段差分ずつ異なるとともに、前記複数本の支柱の上端部が結合される前記貫材の部位の間隔が前記床台毎に少しずつ異なることで、前記複数段の床台が、互いに階段状にずれる進出位置と、互いに上下方向に整列する後退位置との間で水平状態のまま移動し得るとともに、その進出位置での前記複数段の床台の前記床材が階段状の通路を形成する、伸縮式の移動観覧席において、前記各床台が、前記腕材として座席用腕材と通路用腕材とを有するとともに、前記床材として、互いに独立した座席用床材と通路用床材とを有し、前記座席用床材が前記座席用腕材によって前記貫材と前記支柱との少なくとも一方に支持されるとともに、前記通路用床材が前記通路用腕材によって前記貫材と前記支柱との少なくとも一方に支持されていることを特徴とするものである。
【発明の効果】
【０００５】
上述したこの発明の移動観覧席にあっては、複数段の床台の各々がその床材として、互いに独立した座席用床材と通路用床材とを有し、それら座席用床材と通路用床材とが座席用腕材と通路用腕材とによってそれぞれ貫材と支柱との少なくとも一方に支持されているので、複数段の床台が互いに階段状にずれる進出位置で、それらの床台の通路用床材が形成する階段状の通路を観客が歩いて上り下りしてその通路用床材が上下に揺れても、その揺れは通路用腕材を介して貫材と支柱との少なくとも一方に伝達された段階で貫材や支柱の高い剛性によって概ねなくなり、その貫材に、あるいはその貫材に結合された別個の支柱に、別個の座席用腕材を介して支持された座席用床材には、殆どもしくは全く伝達されない。
従って、この発明の移動観覧席によれば、観客が通路用床材上を歩いて階段状の通路を上り下りしても、その通路用床材の揺れが座席用床材に伝わって椅子の着座者が揺れを感じることがないので、着座者の安定感を向上させることができる。
なお、この発明の移動観覧席においては、前記複数段の床台の何れかが、前記貫材として、互いに独立した座席用貫材と通路用貫材とを有し、前記座席用床材が前記座席用腕材によって前記座席用貫材と前記支柱との少なくとも一方に支持されるとともに、前記通路用床材が前記通路用腕材によって前記通路用貫材と前記支柱との少なくとも一方に支持されていると好ましい。
かかる構成によれば、座席用貫材と通路用貫材とが互いに独立しているので、複数段の床台が互いに階段状にずれる進出位置で、それらの床台の通路用床材が形成する階段状の通路を観客が歩いて上り下りしてその通路用床材が上下に揺れ、その揺れが通路用腕材を介して通路用貫材に伝達されて通路用貫材が多少揺れても、その揺れは支柱に伝達された段階で概ねなくなり、座席用貫材には殆どもしくは全く伝達されないから、その座席用貫材にさらに別個の座席用腕材を介して支持された座席用床材には全く伝達されない。従って、着座者の安定感をより向上させることができる。
また、この発明の移動観覧席においては、前記座席用貫材と前記通路用貫材とが、互いに上下方向に整列して前記支柱の上端部の前面に結合されていると好ましい。
かかる構成によれば、上の段の脚部が支柱の後面側に補強のための傾斜ブレースを有する場合でも、下の段の貫材がその傾斜ブレースと干渉せずに下の段の支柱がその傾斜ブレースの前の位置まで後退できるので、複数段の床台が互いに上下方向に整列する後退位置に位置する際に、床台間で前後のずれが生じないため、移動観覧席をコンパクトに収納することができる。
一方、この発明の移動観覧席においては、前記座席用貫材と前記通路用貫材とのうちの一方が、前記支柱の上端部の前面に結合され、前記座席用貫材と前記通路用貫材とのうちの他方が、前記支柱の上端部の後面に結合されていると好ましい。
かかる構成によれば、座席用貫材と通路用貫材とを上下方向に整列させて支柱の上端部に結合しないので、支柱の上端部の長さを貫材一本分の高さに対応させれば済むため、上下の段の床台間の段差をより小さくし得て、移動観覧席の全体的な高さをより低く抑えることができる。
そして、この発明の移動観覧席においては、前記複数段の床台の何れかが、前記貫材を１本のみ有し、前記貫材に、前記座席用腕材と前記通路用腕材との少なくとも一方が結合されていても好ましい。
かかる構成によれば、座席用床材と通路用床材とが座席用腕材と通路用腕材とによってそれぞれ１本のみの貫材と、支柱との少なくとも一方に支持されているので、複数段の床台が互いに階段状にずれる進出位置で、それらの床台の通路用床材が形成する階段状の通路を観客が歩いて上り下りしてその通路用床材が上下に揺れても、その揺れは通路用腕材を介して１本の貫材と支柱との少なくとも一方に伝達された段階で貫材や支柱の高い剛性によって概ねなくなり、その貫材に、あるいはその貫材に結合された別個の支柱に、別個の座席用腕材を介して支持された座席用床材には、殆どもしくは全く伝達されない。
【図面の簡単な説明】
【０００６】
図１は、この発明の移動観覧席の一実施例をその複数段の床台が互いに階段状にずれた進出位置にある状態で示す側面図である。
図２は、上記実施例の移動観覧席をその複数段の床台が互いに上下方向に整列した後退位置にある状態で示す側面図である。
図３は、上記実施例の移動観覧席の全体を、椅子を省略して示す背面図である。
図４は、上記実施例の移動観覧席の中間の二段の支柱から上の部分を、椅子を省略して示す斜視図である。
図５は、上記実施例の移動観覧席の中間の二段の階段状の通路を示す斜視図である。
図６（ａ），（ｂ）は、上記実施例の移動観覧席の中間の段で、座席用床材が座席用腕材によって座席用貫材に支持されている状態と、通路用床材が通路用腕材によって通路用貫材に支持されている状態とをそれぞれ示す側面図である。
図７（ａ），（ｂ）は、この発明の移動観覧席の他の一実施例の中間の段で、座席用床材が座席用腕材によって座席用貫材に支持されている状態と、通路用床材が通路用腕材によって通路用貫材に支持されている状態とをそれぞれ示す側面図である。
図８は、この発明の移動観覧席のさらに他の一実施例の中間の二段の支柱から上の部分を椅子を省略して示す斜視図である。
図９は、従来の移動観覧席の中間の二段の構成を示す斜視図である。
【符号の説明】
【０００７】
１  床台
２  脚部
３  椅子
４  貫材
４Ａ  座席用貫材
４Ｂ  通路用貫材
５  腕材
５Ａ  座席用腕材
５Ｂ  通路用腕材
６  床材
６Ａ  座席用床材
６Ｂ  通路用床材
６Ｃ  見切り材
７  支柱
８  脚材
９  移動用ローラー
１０  傾斜ブレース
１１  ガイドレール
１２  ブラケット
１３  腕材取付け金具
１４  ストッパーボルト
１５  腕材支持ローラー
１６  補助ステップ
Ｆ  床面
【発明を実施するための形態】
【０００８】
以下、この発明の実施の形態を図面に基づく実施例によって詳細に説明する。ここに、図１は、この発明の移動観覧席の一実施例をその複数段の床台が互いに階段状にずれた進出位置にある状態で示す側面図、図２は、上記実施例の移動観覧席をその複数段の床台が互いに上下方向に整列した後退位置にある状態で示す側面図、図３は、上記実施例の移動観覧席の全体を椅子を省略して示す背面図、図４は、上記実施例の移動観覧席の中間の二段の支柱から上の部分を椅子を省略して示す斜視図、図５は、上記実施例の移動観覧席の中間の二段の通路を示す斜視図、そして図６（ａ），（ｂ）は、上記実施例の移動観覧席の中間の段で、座席用床材が座席用腕材によって座席用貫材に支持されている状態と、通路用床材が通路用腕材によって通路用貫材に支持されている状態とをそれぞれ示す側面図である。
この実施例の移動観覧席も、図９に示す従来の移動観覧席と同様、複数段の床台１と、各床台１を水平状態で移動可能に支持する脚部２と、各床台１上に起倒可能に装着された複数個の座起立型椅子３とを具えており、各床台１は、椅子３の左右方向に水平に延在する貫材４と、その貫材４の長手方向に間隔が空いた複数の部位に後端部をそれぞれ結合されてその貫材４から椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、３段目から５段目までの高い方の段では支柱７の後面側にその支柱７の補強のための傾斜ブレース１０を有している。
そしてこの実施例の移動観覧席においても、図３に示すように、上記複数本の支柱７の長さが床台１毎に床台１間の段差分ずつ異なって、床台１が低くなるにつれて支柱７の長さが短くなるとともに、複数本の支柱７の上端部が結合される貫材４の部位の間隔が床台１毎に少しずつ異なって、床台１が低くなるにつれて支柱７の間隔が短くなることで、複数段の床台１が、図１に示す、互いに階段状にずれる進出位置と、図２に示す、互いに上下方向に整列する後退位置との間で水平状態のまま移動でき、最上段の床台１の脚材８の両外側には、床面Ｆ上に固設された二本のガイドレール１１とそれぞれ当接する小さなガイドローラーが設けられていて、それらのガイドローラーとガイドレール１１との当接による案内により、各床台１は所定方向へ進退移動することができ、図２に示すように、後退位置に移動させる際は、各椅子３を前方に倒して床材６間に収納する。
さらにこの実施例の移動観覧席においても、複数本の腕材５の全てを、支柱７を介さず貫材４に直接的に結合することで、移動観覧席の現場での組み立てを容易ならしめるとともに各段の床台１間での腕材５および床材６の共通化を図っており、このためこの実施例の移動観覧席でも、図６に示すように、貫材４は、支柱７に一体的に結合されない腕材５の先端部の下がりを防止すべく捩じり剛性を高めるために角鋼管からなるものとされ、また腕材５は、先端部の下がりを防止すべく曲げ剛性を高めるために、鋼板を溝型に曲げ加工した下材と平坦な鋼板の上材とを溶接接合して形成されている。
そして各腕材５は、図６に示すように、腕材５の後端部に溶接したブラケット１２を、鋼板から組み立てた段付きの角筒状の腕材取付け金具１３に上下方向揺動可能に軸支し、その腕材取付け金具１３を貫材４に二本のボルトで固定することで貫材４に結合されており、腕材取付け金具１３の後端部には、腕材５の揺動限位置を規定して腕材５の水平を出すためにストッパーボルト１４が下方への突出量を調整可能に設けられ、また腕材取付け金具１３の段部には、上方の腕材５を移動可能に支持するために腕材支持ローラー１５が高さ調整可能に設けられている。
しかしてこの実施例の移動観覧席では、図４〜図６に示すように、各床台１が貫材４として、互いに独立した座席用貫材４Ａと通路用貫材４Ｂとを有しており、座席用貫材４Ａの上側に通路用貫材４Ｂが配置されることで、それら座席用貫材４Ａと通路用貫材４Ｂとが互いに上下方向に整列して各々支柱７の上端部の前面に結合されている。
また各床台１が、腕材５として座席用腕材５Ａと通路用腕材５Ｂとを有するとともに、床材６として、互いに独立した座席用床材６Ａと通路用床材６Ｂとを有しており、座席用床材６Ａは座席用腕材５Ａによって座席用貫材４Ａに支持される一方、通路用床材６Ｂは通路用腕材５Ｂによって通路用貫材４Ｂに支持されている。
そして通路用床材６Ｂ上には、図５および図６（ｂ）に示すように、床台１間の段差の約半分の高さの補助ステップ１６が固設されていて、それら通路用床材６Ｂと補助ステップ１６とが、互いに階段状にずれる進出位置の複数段の床台１において図５に示すように階段状の通路を形成する。なお、座席用床材６Ａと通路用床材６Ｂとの隙間には、座席用床材６Ａと通路用床材６Ｂとの間で振動を伝達せずにその隙間を塞ぐゴム製の見切り材６Ｃが介装されている。
かかるこの実施例の移動観覧席にあっては、複数段の床台１の各々が、その床材６として、互いに独立した座席用床材６Ａと通路用床材６Ｂとを有するとともに、その貫材４として、互いに独立した座席用貫材４Ａと通路用貫材４Ｂとを有しており、座席用床材６Ａが座席用腕材５Ａによって座席用貫材４Ａに支持されるとともに、通路用床材６Ｂが通路用腕材５Ｂによって通路用貫材４Ｂに支持されているので、複数段の床台１が互いに階段状にずれる進出位置で、それらの床台１の通路用床材６Ｂが補助ステップ１６とともに形成する階段状の通路を観客が歩いて上り下りしてその通路用床材６Ｂが上下に揺れ、その揺れが通路用腕材５Ｂを介して通路用貫材４Ｂに伝達されて通路用貫材４Ｂが多少揺れても、その揺れは支柱７に伝達された段階で概ねなくなり、座席用貫材４Ａには殆どもしくは全く伝達されないから、その座席用貫材４Ａにさらに通路用腕材５Ｂとは別個の座席用腕材５Ａを介して支持された座席用床材６Ａには実質上全く伝達されない。従って、着座者の安定感をより向上させることができる。
そしてこの実施例の移動観覧席によれば、座席用貫材４Ａと通路用貫材４Ｂとが、互いに上下方向に整列して支柱７の上端部の前面に結合されているので、上の段の脚部２が支柱７の後面側に補強のための傾斜ブレース１０を有していても、下の段の座席用貫材４Ａと通路用貫材４Ｂとが何れもその傾斜ブレース１０と干渉せずに下の段の支柱７がその傾斜ブレース１０の前の位置まで後退できるので、複数段の床台１が互いに上下方向に整列する後退位置に位置する際に、床台１間で前後のずれが生じないため、移動観覧席をコンパクトに収納することができる。
図７（ａ），（ｂ）は、この発明の移動観覧席の他の一実施例の中間の段で、座席用床材が座席用腕材によって座席用貫材に支持されている状態と、通路用床材が通路用腕材によって通路用貫材に支持されている状態とをそれぞれ示す側面図であり、図７中、先の実施例におけると同様の部分はそれと同一の符号にて示す。この実施例の移動観覧席は、座席用貫材４Ａと通路用貫材４Ｂとの相対的な配置の点のみ先の実施例と異なっており、他の点では先の実施例と同様に構成されているので、以下には主としてその異なる点のみを説明する。
すなわち、この実施例では、支柱７の上端部の前面側に座席用貫材４Ａが配置され、その一方支柱７の上端部の後面側に通路用貫材４Ｂが配置されて、それら座席用貫材４Ａと通路用貫材４Ｂとがそれぞれ支柱７の上端部に結合されている。
かかるこの実施例の移動観覧席によれば、先の実施例と同様の作用効果が得られるのに加えて、座席用貫材４Ａと通路用貫材４Ｂとを上下方向に整列させて支柱７の上端部に結合しないので、支柱７の上端部の長さを貫材４の一本分の高さに対応させれば済むため、必要に応じて上下の段の床台１間の段差をより小さくし得て、移動観覧席の全体的な高さをより低く抑えることができる。しかも座席用床材６Ａを介して多数の椅子３の重量が加わる座席用腕材５Ａを、支柱７の上端部の前面側に配置した座席用貫材４Ａで支持するので、座席用腕材５Ａを通路用腕材５Ｂよりも支柱７分短くし得てその支持剛性を確保することができる。
図８は、この発明の移動観覧席のさらに他の一実施例の中間の二段の支柱から上の部分を椅子を省略して示す斜視図であり、図８中、先の実施例におけると同様の部分はそれと同一の符号にて示す。この実施例の移動観覧席は、貫材４が座席用と通路用とに共用されている点のみ先の実施例と異なっており、他の点では先の実施例と同様に構成されているので、以下には主としてその異なる点のみを説明する。
すなわち、この実施例では、各床台１が、支柱７の上端部の前面に結合された１本のみの貫材４を有している。また各床台１が、腕材５として座席用腕材５Ａと通路用腕材５Ｂとを有するとともに、床材６として、互いに独立した座席用床材６Ａと通路用床材６Ｂとを有している。そして、座席用床材６Ａは座席用腕材５Ａによって貫材４に支持される一方、通路用床材６Ｂは通路用腕材５Ｂによって貫材４に支持され、これによって貫材４が座席用と通路用とに共用されている。
かかるこの実施例の移動観覧席にあっては、複数段の床台１の各々が有する互いに独立した座席用床材６Ａと通路用床材６Ｂとが、座席用腕材５Ａと通路用腕材５Ｂとによってそれぞれ貫材４に支持されているので、複数段の床台１が互いに階段状にずれる進出位置で、それらの床台１の通路用床材６Ｂが補助ステップ１６とともに形成する階段状の通路を観客が歩いて上り下りしてその通路用床材６Ｂが上下に揺れても、その揺れは通路用腕材５Ｂを介して貫材４に伝達された段階で概ねなくなり、その貫材４に通路用腕材５Ｂとは別個の座席用腕材５Ａを介して支持された座席用床材６Ａには殆どもしくは全く伝達されない。
従って、この実施例の移動観覧席によっても、観客が通路用床材６Ｂ上を歩いて階段状の通路を上り下りしても、その通路用床材６Ｂの揺れが座席用床材６Ａに伝わって椅子３の着座者が揺れを感じることがないので、着座者の安定感を向上させることができる。そしてこの実施例によれば、図７に示す実施例と同様、支柱７の上端部の長さを貫材４の一本分の高さに対応させれば済むため、必要に応じて上下の段の床台１間の段差をより小さくし得て、移動観覧席の全体的な高さをより低く抑えることができ、しかも各床台１の貫材４が１本のみなので、移動観覧席を簡易かつ安価に構成することができる。
以上、図示例に基づき説明したが、この発明は上述の例に限定されるものでなく、特許請求の範囲の記載範囲内で適宜変更し得るものであり、例えば、座席用貫材４Ａと通路用貫材４Ｂとの相対的な配置を上記各実施例に対し上下あるいは前後で逆にしても良い。また、上記例では何れも座席用腕材５Ａと通路用腕材５Ｂとを座席用貫材４Ａと通路用貫材４Ｂとにそれぞれ結合し、あるいは１本のみの貫材４にそれぞれ結合したが、座席用腕材５Ａを、腕材毎に設けた支柱７に結合し、あるいはその支柱７と、座席用貫材４Ａまたは貫材４との両方に結合しても良く、また通路用腕材５Ｂを、腕材毎に設けた支柱７に結合し、あるいはその支柱７と、通路用貫材４Ｂまたは貫材４との両方に結合しても良い。このようにすれば、座席用床材６Ａや通路用床材６Ｂの支持剛性をさらに高められる。さらに、上記３種類の実施例の座席用腕材５Ａと通路用腕材５Ｂとを支持する構成のうち２種類または全てを組み合わせても良い。
【産業上の利用可能性】
【０００９】
かくしてこの発明の移動観覧席によれば、観客が通路用床材上を歩いて階段状の通路を上り下りしても、その通路用床材の揺れが座席用床材に伝わって椅子の着座者が揺れを感じることがないので、着座者の安定感を向上させることができる。
【図１】
2011001541.tif 000003
【図２】
2011001541.tif 000004
【図３】
2011001541.tif 000005
【図４】
2011001541.tif 000006
【図５】
2011001541.tif 000007
【図６（ａ）】
2011001541.tif 000008
【図６（ｂ）】
2011001541.tif 000009
【図７（ａ）】
2011001541.tif 000010
【図７（ｂ）】
2011001541.tif 000011
【図８】
2011001541.tif 000012
【図９】
2011001541.tif 000013
【国際調査報告】
2011001541.tif 000014
2011001541.tif 000015
2011001541.tif 000016